(57)【要約】      （修正有）【課題】開閉カバー・開閉扉を閉じる時に必要なストッパー収納スペースを節約して、小型化が可能な画像形成装置を提供する。【解決手段】ストッパー７の一部にはストッパーの縁を残した穴８があり、画像形成装置１に固定されたストッパー保持部材１２内にはストッパー７がスライドできる隙間とストッパー７が突き当たる形状がある。ストッパー７は開閉カバー・開閉扉２の回動により、ストッパー保持部材１２より装置天面側に出た部分には前記の穴８が位置する。開閉カバー・開閉扉２の閉時の回動動作最後に、開閉カバー・開閉扉２に付与した凸形状が、前記の穴８に入り、ストッパー７を装置天面方向に引き上げることによって、ストッパー７を正規位置に収める。【選択図】図２
2019040059.tif 000002
【特許請求の範囲】
【請求項１】
画像形成装置１底面側に、回転支点を持つ回動可能な開閉カバー・開閉扉２を持ち、画像形成装置１と開閉カバー・開閉扉２はストッパー７によって繋がり、一定の開放角度で開放角を抑制するストッパー７の一端は、画像形成装置１本体にストッパー保持部材１２でスライド可能な状態で取り付けられる。
ストッパー７端部には開閉カバー・開閉扉２に固定するための穴１１と、逆端部にはスライド用のストッパーの縁を残した穴８がある。
ストッパー保持部材１２内にはストッパー７がスライドできる隙間とストッパー７の縁を残した穴８が突き当たる軸形状９があり、軸形状９はストッパー７の縁を残した穴８に入り一定の開放角度で開放角を抑制する。
ストッパー７は、開閉カバー・開閉扉２の閉動作により、ストッパー保持部材１２上の装置天面側にスライド移動し、開閉カバー・開閉扉２の回動動作最後に、開閉カバー・開閉扉２に付与した凸形状１５が、ストッパー７の縁を残した穴８に入り、ストッパー７を画像形成装置１天面方向に引き上げる。
前記、凸形状１５とストッパー７を有することを特徴とする画像形成装置。
【請求項２】
開閉カバー・開閉扉２に付与した凸形状１５は、二つの斜面１９を持つことを特徴とする請求項１に記載の画像形成装置。
【発明の詳細な説明】
【技術分野】
【０００１】
本発明は、プリンタ、ファクシミリ、複写機等の画像形成装置に関する。
【背景技術】
【０００２】
従来の複写機、プリンタ等の画像形成装置においては、装置内部の部品交換や紙詰まりなどの滞留紙除去の為に、装置の４側面または複数側面中の１側面もしくは複数側面を解放できる（開閉カバー・開閉扉）構成にしているものがある。
【０００３】
開閉カバー・開閉扉は装置の底面側に回転支点を持ち、装置に対してほぼ９０度まで解放し、解放限界の９０度近辺では装置本体と開閉カバー・開閉扉とを繋ぐストッパーにより解放位置を規制され、開閉時の操作性の向上も図られている。
【０００４】
前記ストッパーの構成と形状は、装置と開閉カバー・開閉扉間を柔軟性のある長いシート状の部材で繋ぎ、収納時は中央で二つに折れ曲がるものや、四角柱やコの字形状の部品２個をリンクで繋ぎリンクを支点にほぼ１８０°折れ曲がるようにしたものなど特許文献１（図１１）のように、コンパクトに装置内に収まるようになっている。
【先行技術文献】
【特許文献】
【０００５】
【特許文献１】特開平２０１４−１４４８６８号公報
【発明の概要】
【発明が解決しようとする課題】
【０００６】
しかしながら、特許文献１（図１１）のようなストッパーは、開閉カバー・開閉扉を閉じたとき、装置内部にコンパクトに収まるが、現状の装置よりも更に装置サイズの小型化に対しては更なる収納体積の小さい、コンパクトなストッパーを求められている。
【０００７】
画像形成装置１の内部部品やフレーム６と開閉カバー・開閉扉２間に開閉カバー・開閉扉２の回動方向と直角に折れ曲がるストッパー７を用いることがある（図４、図５）。
【０００８】
ストッパー７の画像形成装置１本体側の固定と開閉カバー・開閉扉２側の固定位置はストッパー７の大きさや操作性への影響より、画像形成装置１底面側寄りへの設置が望ましいが、画像形成装置１側の内部部品配置の都合などにより、画像形成装置１側のストッパー保持部材１２を、装置天面側寄りに位置させ、画像形成装置１側のストッパー７を固定せずにストッパー保持部材１２を追加しストッパー保持部材１２内をスライド移動させてから、ストッパー７が突き当たるような方法もある、この構成により画像形成装置１底面付近に配置された部品１３や形状を避けて収納できる。
【０００９】
スライドさせた場合、開閉カバー・開閉扉２のストッパー固定位置は開閉回動の軌跡に合わせて曲線で移動するため、画像形成装置１側面に平行に取り付けられたストッパー７は弓なりに移動することになり、ストッパー保持部材１２に対しても平行にスライドできず正規の収納位置まで移動できず、移動しきれていない部分が変形して画像形成装置１内部部品やフレーム６と開閉カバー・開閉扉２間の収納空間以上の大きさになり開閉カバー・開閉扉２を変形させてしまうため、ストッパー７の収納空間を大きく確保しなければならなくなっていた。
【課題を解決するための手段】
【００１０】
上記の課題を解決するために、本発明に係る画像形成装置は、
画像形成装置１底面側に、回転支点を持つ回動可能な開閉カバー・開閉扉２を持ち、画像形成装置１と開閉カバー・開閉扉２はストッパー７によって繋がり、一定の開放角度で開放角を抑制するストッパー７の一端は、画像形成装置１本体にストッパー保持部材１２でスライド可能な状態で取り付けられる。ストッパー７端部には開閉カバー・開閉扉２に固定するための穴１１と、逆端部にはスライド用のストッパーの縁を残した穴８がある。ストッパー保持部材１２内にはストッパー７がスライドできる隙間とストッパー７の縁を残した穴８が突き当たる軸形状９があり、軸形状９はストッパー７の縁を残した穴８に入り一定の開放角度で開放角を抑制する。ストッパー７は、開閉カバー・開閉扉２の閉動作により、ストッパー保持部材１２上の装置天面側にスライド移動し、開閉カバー・開閉扉２の回動動作最後に、開閉カバー・開閉扉２に付与した凸形状１５が、ストッパー７の縁を残した穴８に入り、ストッパー７を画像形成装置１天面方向に引き上げる。前記凸形状１５とストッパー７を有することを特徴とする。
【発明の効果】
【００１１】
本発明に係る画像形成装置によれば、ストッパー７にはストッパーの縁を残した穴８があり装置に固定されたストッパー保持部材１２内にはストッパー７がスライドできる隙間とストッパー７が突き当たる形状９がある。突き当たる形状９は、ストッパーの縁を残した穴８に入り、解放限界のストップ位置となっている。ストッパー７は開閉カバー・開閉扉２回動により、ストッパー保持部材１２より装置天面側にスライドし出てくる、出てくる部分には縁を残した穴８の一部が位置する。開閉カバー・開閉扉２の閉時の回動終了最後に、開閉カバー・開閉扉２に付与した装置内部方向に凸形状１５が、先のストッパーの縁を残した穴８に入り、ストッパー７を装置天面方向に引き上げることによって、ストッパー７を正規位置に収めることができる。本構成によって、開閉カバー・開閉扉２の回動方向と直角に折れ曲がるストッパー７を使用しても、ストッパー７の変形は無くなり、ストッパー７の収納空間を大きく確保しなくてもよくなり装置の小型化が可能となる。
【図面の簡単な説明】
【００１２】
【図１】本発明の実施形態である画像形成装置の一例の概略構成を示す斜視図である。
【図２】本発明の実施形態である画像形成装置の開閉カバー・開閉扉を開いた斜視図である。
【図３】本発明の実施形態である画像形成装置の一例の概略構成を示す断面図である。
【図４】本発明の実施形態である画像形成装置の一例の概略構成を示す詳細図である。
【図５】本発明の実施形態である画像形成装置の一例の概略構成を示す詳細図である。
【図６】本発明の実施形態である画像形成装置の一例の概略構成を示す詳細図である。
【図７】本発明の実施形態である画像形成装置の一例の概略構成を示す詳細図である。
【図８】本発明の実施形態である画像形成装置の一例の概略構成を示す詳細図である。
【図９】本発明の実施形態である画像形成装置の一例の概略構成を示す詳細図である。
【図１０】本発明の実施形態である画像形成装置のストッパー部分のみの詳細図である。
【図１１】従来の発明である画像形成装置の概略図である。
【発明を実施するための形態】
【００１３】
以下、本発明を実施するための形態について、図面を参照しながら説明する。
【００１４】
図１は本件、画像形成装置１の外観を表したもので、図２は図１の画像形成装置１の側面の開閉カバー・開閉扉２が開放されている状態を表している。
【００１５】
次に、画像形成装置の一つである画像形成装置１の概略構成について、記録媒体たる印字用紙の流れに沿って説明する。
【００１６】
図３は、実施例に係る画像形成装置の概略構成を示す断面図である。
【００１７】
画像形成装置１は、給紙ローラー１０１が給紙カセット１０２内に積載収納されている記録媒体たる印刷用紙Ｓを一枚ずつ印刷用紙搬送方向に送り出す。
【００１８】
給紙ローラー１０１より、送り出された印刷用紙Ｓはレジストコロ１０４と対向して設けられたレジストローラー１０３に搬送到達し、レジストローラー１０３にはレジシャッターが同軸上に回転可能なように具備されており、搬送してきた印刷用紙Ｓの斜行を補正する。その後、レジストローラー１０３は印刷用紙を転写ローラー１０５に搬送する感光ドラム１０６および現像装置（図示せず）を保持するプロセスカートリッジがスキャナユニット１０７から照射されるレーザー光により感光ドラム１０６上に形成された潜像に現像剤を付与し可視画像とし、それをＩＴＢユニット１０８のＩＴＢベルト１０９上に移行させる。
【００１９】
該可視画像はＩＴＢベルト１０９が回転することによって、転写ローラー１０５まで運ばれ、転写ローラー１０５によって印刷用紙Ｓ上に未定着状態で転写される。
【００２０】
上記、転写された印刷用紙Ｓは定着装置たる定着ユニット１１０に搬送される定着体たる加熱ユニット１１１が加圧ローラー１１２と圧接されることによって、形成される定着ニップ部にて、熱および圧力を付与されることにより、上記可視画像が上記印刷用紙Ｓ上に定着され、排紙口１１３から印刷済みの印刷用紙Ｓを積載する排紙トレイ１１４に排紙される。
【００２１】
本件は、レジストコロ１０４とレジストローラー１０３から定着ユニット１１０に至る装置内部部品やユニットの寿命交換や、上記の印刷用紙Ｓの搬送過程での紙づまり除去のために、装置側面を大きく解放する開閉カバー・開閉扉２に関するものである。
【００２２】
開閉カバー・開閉扉２のように装置の側面を大きく開放する構成は、画像形成装置１には２箇所設けられており、図２の画像形成装置１では右側面を大きく解放して装置内部への操作性を高めている。
【００２３】
尚、装置側面を大きく開放する構成は最少１箇所から複数個所のものもあり、本構成と同様な回動方向であれば本構成は適用可能である。
【００２４】
開閉カバー・開閉扉２を大きく開放させた装置内部には、紙づまり時の印刷用紙Ｓの除去や、内部部品の例えば、加熱ユニット１１１が加圧ローラー１１２と圧接されることによって、形成される定着ニップ部にて、熱および圧力を付与し可視画像が上記印刷用紙Ｓ上に定着できる定着ユニット１１０、潜像に現像剤を付与し可視画像としそれを移行させるＩＴＢユニット１０８などの寿命を持った部品、ユニットの寿命到達時の交換が行えるようになっている。
【００２５】
次に、図４〜７を用い画像形成装置１の開閉カバー・開閉扉２の概略構成について説明する。
【００２６】
開閉カバー・開閉扉２は画像形成装置１の右側面に位置し、右側面の面積の大半を開放できる、開閉カバー・開閉扉２には把手３が備えられており、回動の支点４は画像形成装置１の底面近くにあり、画像形成装置１の底面５とほぼ平行の位置まで開放することが可能となっている。
【００２７】
画像形成装置１の底面５とほぼ平行の位置まで開かれた開閉カバー・開閉扉２は、開閉時に開閉カバー・開閉扉２を把持するための手が容易に開閉カバー・開閉扉２を把持でき、画像形成装置１の底面５の設置面と開閉カバー・開閉扉２との衝突による破損などを防ぐために、画像形成装置１の側面内部フレーム６と開閉カバー・開閉扉２とを繋ぐ部材により画像形成装置１の底面５の設置面への接触以前に回動がストッパー７により制限される。
【００２８】
ストッパー７は細長く厚みの小さい形状を有し、全長の半分近くに開閉カバー・開閉扉２の開閉時スライド動作用の為と、開閉カバー・開閉扉２の開時の底面５の設置面への接触以前に回動を制限させるストッパー保持部材１２の突き当て部の軸形状９が入る為の、ストッパーの縁を残した穴８と、逆端部は開閉カバー・開閉扉２への固定用の形状１１を持つ、ストッパー７の中央近方には開閉カバー・開閉扉２が閉じられた時に画像形成装置１の側面内部部品と開閉カバー・開閉扉２の狭い空間であっても収納できるように一定方向に二つに折れ曲がるように折れ線１０が設けられている。
【００２９】
また、ストッパー保持部材１２は、ストッパー７が内部に収まりスライドできるように細長い箱形状の対称側面を切り欠いた形状を有し、ストッパー７の突き当て部の為の軸形状９を備える。
【００３０】
上記のストッパー７とストッパー保持部材１２を組み合わせて、画像形成装置１の開閉カバー・開閉扉２の設けられた側面内部部品のフレーム６などに引掛けもしくはビス固定等により固定し、ストッパー７の一端は開閉カバー・開閉扉２の開閉時にストッパーが折れ曲がりスライドし適正形状で収まる位置に固定する。
【００３１】
画像形成装置１と開閉カバー・開閉扉２をストッパー７で繋ぎ、開閉動作の閉時動作最終近くに、画像形成装置１側のストッパー保持位置が、画像形成装置１の小型化などにより内部部品が開閉カバー・開閉扉２の領域まで侵入し、適正な位置に固定位置の配置ができず、適正位置である画像形成装置１の底面付近でなく画像形成装置１の天面に近くなった場合に、開閉カバー・開閉扉２への固定したストッパー７の位置が回動に伴い曲線の軌道で移動し、ストッパー保持部材１２に対しストッパー７が平行にスライドできなくなりスライドに負荷が掛り、ストッパー７の本来の移動距離に対して未到達になることがある。
【００３２】
ストッパー７の移動距離が未到達となった部分は、ストッパー７の中央付近の二つに折れ曲がる折れ線１０が適正に折れ曲がらず、適正に折れ曲がらずに膨らんだストッパー１４はストッパー１４周囲の開閉カバー・開閉扉２を画像形成装置１の内部から外部方向に押し出してしまい、画像形成装置１の外観を損ねてしまう。
【００３３】
開閉カバー・開閉扉２には、開閉動作の閉時動作最後にストッパー保持部材１２の、画像形成装置１の天面寄りに、ストッパー７の移動と、ストッパー７の縁を残した穴８への挿入を容易にする斜面１９を持つ、画像形成装置１内部方向に向けた凸形状１５が付与され、開閉カバー・開閉扉２の閉じられる力と凸形状１５と凸形状１５の斜面１９によってストッパー７は画像形成装置１の天面側に引かれ、ストッパー７の移動距離が未到達だった部分を解消し正規の位置に移動させることができる。
【００３４】
前記の、開閉カバー・開閉扉２の凸形状１５は、画像形成装置１内部方向に向けられ、凸形状１５が侵入する為に内部部品の移動やフレーム６に凸形状１５との干渉を避けて、穴を開けるなどの画像形成装置１側にも変更が及ぶ可能性があるが、極力画像形成装置１の内部部品の変更は避けたい。
【００３５】
図８．９において、開閉カバー・開閉扉２の凸形状１５を、開閉カバー・開閉扉２と分割して凸形状１５側をレバー１６とし、開閉カバー・開閉扉２の凸形状１５の除去した箇所にはレバー１６が回動する支点１７を設ける。
【００３６】
開閉カバー・開閉扉２の閉時動作最後で回動可能となったレバー１６はストッパーの縁を残した穴８に引っ掛ると、レバー１６の先端１８は画像形成装置１内部の部品やフレーム６に接触し、開閉カバー・開閉扉２を閉じる力によって、レバー１６は画像形成装置１の天面側に向けて回動し、ストッパー７を正規の位置へ引き上げることができる。
【００３７】
回動するレバー１６は、凸形状１５に対して、画像形成装置１内部部品に影響を及ぼすことなく、ストッパー７を正規位置に修正することができる。
【符号の説明】
【００３８】
１  画像形成装置、２  画像形成装置の開閉カバー・開閉扉、
３  把手（開閉カバー・開閉扉用）、４  支点（開閉カバー・開閉扉の回動支点）、
５  底面、６  側面内部フレーム、７  ストッパー、８  ストッパーの縁を残した穴、
９  軸形状、１０  二つに折れ曲がる折れ線、
１１  開閉カバー・開閉扉２への固定用の形状、１２  ストッパー保持部材、
１３  画像形成装置底寄りの内部部品や形状、
１４  適正に折れ曲がらずに膨らんだストッパー、１５  凸形状、１６  レバー、
１７  回動する支点、１８  レバー１６の先端、１９  斜面、１０１  給紙ローラー、
１０２  給紙カセット、１０３  レジストローラー、１０４  レジストコロ、
１０５  転写ローラー、１０６  感光ドラム、１０７  スキャナユニット、１０８  、
ＩＴＢユニット、１０９  、ＩＴＢベルト、１１０  、定着ユニット、
１１１  加熱ユニット、１１２  、加圧ローラー、１１３  、排紙口、
１１４  、排紙トレイ、Ｓ  印刷用紙
【図１】
2019040059.tif 000003
【図２】
2019040059.tif 000004
【図３】
2019040059.tif 000005
【図４】
2019040059.tif 000006
【図５】
2019040059.tif 000007
【図６】
2019040059.tif 000008
【図７】
2019040059.tif 000009
【図８】
2019040059.tif 000010
【図９】
2019040059.tif 000011
【図１０】
2019040059.tif 000012
【図１１】
2019040059.tif 000013